(57)【要約】【課題】サーキットプロテクタを対象に、従来の本体ケースに変更を加えることなしに、付属部品の端子カバーを巧みに活用して配線の作業性改善が図れるように改良した回路遮断器の端子装置を提供する。【解決手段】本体ケース１の両端に形成した端子台１ａに端子板５，端子ネジ７，座金６からなる主回路端子を配した上で、前記端子台１ａに装着する端子カバー４を備えた回路遮断器において、端子カバー４には予め端子ネジ７，座金６を所定位置に仮保持し、配線時には端子カバー４を端子台１ａに装着した状態で外方から端子ネジ７を締め付け操作して電線を主回路端子の端子板と座金との間に挟持締結するようにし、具体的には端子カバー４の上壁に形成した左右一対の支持脚片４ａの間に座金６を圧挿して仮保持させておき、配線時には端子カバー４を本体ケース１の端子台１ａに装着した状態で上壁のドライバー挿入穴４ｄより端子ネジ７を締め付けて端子台１ａに挿入した電線を端子板５と座金６との間に挟持締結する。【選択図】図１
2012181923.tif 000002
【特許請求の範囲】
【請求項１】
本体ケースの両端に形成した主回路の端子台に端子板，端子ネジ，座金からなる電源側，負荷側の主回路端子を配した上で、付属部品として前記端子台に装着して主回路端子を覆う端子カバーを備えた回路遮断器の端子装置において、
前記端子カバーには予め主回路端子の座金を端子ネジと組み合わせて所定位置に仮保持しておき、配線時には端子カバーを端子台に装着した状態で該端子カバーの外方から端子ネジを締め付け操作して電線を主回路端子の端子板と座金との間に挟持締結するようにしたことを特徴とする回路遮断器の端子装置。
【請求項２】
請求項１に記載の回路遮断器の端子装置において、端子カバーは逆Ｕ字形を呈するキャップ形状体で、その上壁の後部側縁に左右一対の支持脚片，および係合突起を突き出し形成するとともに、上壁にはネジ締めドライバーの挿入穴が開口した構成になり、座金に端子ネジを嵌挿した状態で、前記支持脚片の間に座金を圧挿して仮保持するようしたことを特徴とする回路遮断器の端子装置。
【発明の詳細な説明】
【技術分野】
【０００１】
本発明は、低圧配電系統の機器保護用に適用するサーキットプロテクタ（Circuit Protector）を対象とする回路遮断器の端子装置に関する。
【背景技術】
【０００２】
頭記のサーキットプロテクタとして、本体ケースに接触子，開閉機構，過電流引外し装置を搭載し、該本体ケースの両端に形成した主回路の端子台に電源側，負荷側の主回路端子を配置した構成（例えば、特許文献１参照）、およびその付属部品として主回路の端子台に装着して端子の結線部を覆う感電防止用の端子カバーが知られている（例えば、特許文献２参照）。
【０００３】
次に、従来のサーキットプロテクタ（単極品）の端子装置，および端子カバーの構造を図５，図６に示す。図において、１は左右二分割構造になるサーキットプロテクタの本体ケース（モールド樹脂の成形品）、１ａは本体ケース１の両端に形成した主回路の端子台、２は端子台１ａに配置した主回路端子、３は開閉操作ハンドル、４は端子カバー（付属部品）であり、この端子カバー４は後記のように端子台１ａに起立形成した左右の隔壁１ｂに装着するようにしている。
【０００４】
すなわち、主回路端子２は端子台１ａに引き出した端子板５に座金６，端子ネジ７を取り付けて電線（不図示）と接続するようにし、端子ネジ７は座金６に嵌挿して予め端子板４に螺合されている。一方、端子カバー４は、図６（ａ）〜（ｃ）で示すように逆Ｕ字形のキャップ形状体（モールド樹脂製）になり、その後部には左右一対の支持脚片４ａ，および係合突起４ｂが上壁の側縁から下方に向けて突き出し形成されている。なお、端子カバー４の上壁に開口した穴４ｃは検電棒を差し入れるための検電用穴（穴径３．５mm）である。
【０００５】
また、端子カバー４に形成した支持脚片４ａ，係合突起４ｂに対向して、本体ケース１の端子台１ａから起立する左右隔壁１ｂの内壁面には、縦方向のガイド溝１ｃ，および係合凹溝１ｄが形成されている（図５参照）。
【０００６】
なお、上記のサーキットプロテクタは、操作ハンドル３を前方に向けた取り付け姿勢で制御盤などの盤内に設置される。
上記の構成で、盤内に設置したサーキットプロテクタの主回路端子２に電線（素線）を接続するには、先ず端子ネジ７を緩めて電線を端子板５と座金６との間に差し込んだ上で、ドライバーを使って端子ネジ７を締め付ける。そして、この電線の結線状態で付属部品の端子カバー４を前方から端子台１に装着して主回路端子２と電線の結線部を覆うようにする。また、丸形圧着端子を取り付けた電線を接続する場合には、端子台１ａから座金６と一緒に端子ネジ７を一旦取り外した上で、端子台１ａに挿入した丸形圧着端子に端子ネジ７を嵌挿，締結して端子板５に結線するようにする。
【先行技術文献】
【特許文献】
【０００７】
【特許文献１】特開平９−３２６２２８号公報（図１）
【特許文献２】特開２００９−２６６４８０号公報
【発明の概要】
【発明が解決しようとする課題】
【０００８】
前述のように従来構造のサーキットプロテクタ(図５参照)の主回路端子２に電線を接続する際には、その作業手順として端子板５に螺合保持されている端子ネジ７を一旦緩める，ないし取り外した上で、次に端子台１ａに挿入した電線を端子ネジ７で締結し、その後に端子カバー４を端子台１ａに装着することから、多数台のサーキットプロテクタが配備されている制御盤ではその配線作業に多くの手間と時間を要する。
【０００９】
また、電線の丸形圧着端子を配線する場合には端子ネジを一旦取り外す必要があるが、先記のように盤内に設置したサーキットプロテクタの取り付け姿勢は操作ハンドル３を前に向けて設置されていることから、ドライバーを使って端子ネジ７を取り外す際に、誤って座金６，端子ネジ７が端子台１ａから脱落して盤内に落下，紛失するトラブルが発生し易い問題がある。
【００１０】
なお、配線作業の工数を削減するために、サーキットプロテクタの本体ケースに開閉式の端子カバーを一体に設けた構成も知られているが、この方式を採用するには本体ケースの成形金型を変更する必要があり、現在市場に展開しているサーキットプロテクタの製品には簡単に適用できない。
【００１１】
本発明は上記の点に鑑みなされたものであり、その目的は先記のサーキットプロテクタを対象に、従来の本体ケースに変更を加えることなしに、本体ケースの端子台に装着する付属部品の端子カバーを巧みに活用して配線の作業性改善が図れるように改良した回路遮断器の端子装置を提供することにある。
【課題を解決するための手段】
【００１２】
上記目的を達成するために、本発明によれば、本体ケースの両端に形成した主回路の端子台に端子板，端子ネジ，座金からなる電源側，負荷側の主回路端子を配した上で、付属部品として前記端子台に装着して主回路端子を覆う端子カバーを備えた回路遮断器の端子装置において、
前記端子カバーには予め主回路端子の座金を端子ネジと組み合わせて所定位置に仮保持しておき、配線時には端子カバーを端子台に装着した状態で該端子カバーの外方から端子ネジを締め付け操作して電線を主回路端子の端子板と座金との間に挟持締結するようにし（請求項１）、具体的には端子カバーに対して主回路端子の端子ネジ，座金を次記のように仮保持する。
【００１３】
すなわち、端子カバーは逆Ｕ字形を呈するキャップ形状体で、その上壁の後部側縁に左右一対の支持脚片，および係合突起を突き出し形成するとともに、上壁にはドライバーの挿入穴が開口した構成になり、座金に端子ネジを嵌挿した状態で、前記支持脚片の間に座金を圧挿して仮保持させる（請求項２）。
【発明の効果】
【００１４】
上記構成の端子装置によれば次記の効果を奏する。すなわち、盤内に回路遮断器を設置した状態でその主回路端子に電線を接続する際に、ユーザーはあらかじめ端子ネジ，座金が仮保持されている端子カバーを本体ケースの端子台に装着し、この状態で端子カバーの上壁に穿設した穴にドライバーを差し込んで端子ネジを締め付けるだけの簡単な作業で端子台に挿入した電線をネジ締結して結線することができる。これにより、従来製品のように配線時に端子ネジを端子板から緩めたり，取り外す手間を省いて配線工数の削減が図れるほか、端子ネジの緩め，取外し操作に伴う端子ネジ，座金の脱落，紛失のトラブルを引き起こすおそれなしに配線作業を短時間で能率よく行うことができる。
【００１５】
しかも、回路遮断器の本体ケースは構造を変更する必要がなく、付属部品の端子カバーに僅かな変更を加えるだけで対応できる。
【図面の簡単な説明】
【００１６】
【図１】サーキットプロテクタを対象とした本発明実施例の構成図であって、（ａ）は一方の端子カバーを装着する前の組立状態を表す側面図、（ｂ）は（ａ）の平面図である。
【図２】図１の端面図であって、（ａ），（ｂ）はそれぞれ左側，右側から見た端面図である。
【図３】図１における端子カバーに端子ネジ，座金を仮保持した状態を表す図であって、（ａ）は側面図、（ｂ）は後部側から見た端面図、（ｃ）は下面図、（ｄ）は下面側から見た斜視図である。
【図４】図１に対応する実施例の外観斜視図であって、（ａ），（ｂ）はそれぞれ異なる方向から見た図である。
【図５】従来製品のサーキットプロテクタに採用されている端子装置の構成を示す外観斜視図である。
【図６】図５における端子カバーの構造図であって、（ａ），（ｂ），（ｃ）はそれぞれ平面図，側面図，および正面図である。
【発明を実施するための形態】
【００１７】
以下、先記のサーキットプロテクタを対象とした本発明の実施の形態を図１〜図４に示す実施例に基づいて説明する。なお、実施例の図中で図５，図６に対応する部材には同じ符号を付してその説明は省略する。
【００１８】
図示実施例のサーキットプロテクタは基本的に図５，図６に示した従来例と同じ構造であるが、製品出荷時には本体ケース１の端子台１ａに主回路端子２の端子ネジ７，座金６が取り付けて無く、座金６，端子ネジ７は次記のようにサーキットプロテクタの付属部品である端子カバー７に仮保持した状態で製品に同梱してユーザーに出荷するようにしている。
【００１９】
すなわち、本体ケース１の端子台１ａに装着する端子カバー４の上壁後部には、図６の従来品と同様な左右一対の支持脚片４ａ，および係合突起４ｂが上壁の側縁から下方に向けて突き出し形成されている。そこで、図示の実施例では図３で示すように端子ネジ７を座金６に嵌挿した状態で、該座金６を支持脚片４ａの間に圧入して端子カバー４の上壁の内側に仮保持するようにしている。
【００２０】
このために、左右一対の支持脚片４ａの間の内法寸法（Internal Dim）Ｌは座金６の幅寸法ｄに合わせて設定しておく。なお、座金６の前後方向の仮保持位置は、支持脚片４ａを本体ケース１の端子台１ａの隔壁１ｂに形成したガイド溝１ｃ（図５参照）に差し込んで端子カバー４を本体ケース１の端子台１ａに装着し状態で、端子カバー４に仮保持した端子ネジ７の軸先端が端子板５のネジ穴と向かい合うように定めておく（図２参照）。
【００２１】
また、外方から端子カバー４にドライバーを差し込んで端子ネジ７をネジ操作するために、端子カバー４の上壁には、図１（ｂ），図４で示すようにドライバー挿入穴４ｄが端子ネジ７の仮保持位置に合わせて穿孔されている。なお、ドライバー挿入穴４ｄの穴径は６mm程度である。
【００２２】
上記の構成で、盤内に設置したサーキットプロテクタを配線する際には、その作業手順として予め座金６，端子ネジ７が仮保持されている付属部品の端子カバー４を本体ケース１の前方から端子台１ａの隔壁１ｂに嵌め込み装着する（図２（ａ），（ｂ）参照）。次に配線する電線の先端（素線，または圧着端子）を端子カバー４を通して端子台１ａに挿入し、この状態で端子カバー４のドライバー挿入穴４ｄにドライバーを差し込んだ上で、端子ネジ７を押込みながら端子板５のネジ穴に螺合して締め付け操作する。これにより、電線は端子板５と座金６との間に挟持締結されることになる。
【００２３】
この作業手順から判るように、主回路端子に電線を接続する配線作業では、従来のように端子ネジ７を緩めたり，取り外す手間が必要なく配線工数を削減できるほか、ネジ操作の過程で端子ネジ７，座金６が端子台１ａから脱落するおそれもなくて、配線作業を短時間で能率よく行うことができる。
【符号の説明】
【００２４】
１    本体ケース
１ａ  端子台
１ｂ  隔壁
１ｃ  ガイド溝
１ｄ  係合凹溝
２    主回路端子
３    操作ハンドル
４    端子カバー
４ａ  支持脚片
４ｂ  係合突起
４ｄ  ドライバー挿入穴
５    端子板
６    座金
７    端子ネジ
【図１】
2012181923.tif 000003
【図２】
2012181923.tif 000004
【図３】
2012181923.tif 000005
【図４】
2012181923.tif 000006
【図５】
2012181923.tif 000007
【図６】
2012181923.tif 000008